(57)【要約】      （修正有）【課題】ディスク再生装置のスピンドルモータの冷却を促進でき、ディスクの回転で生じる空気の流れを整流して風速を高速化できてスピンドルモータの冷却効果を高められる。【解決手段】ディスクＤを載置するディスクトレイ１のディスク外周面側からディスクトレイの下側を経て中央部のスピンドルモータ２へ、ディスクの回転によって発生する空気の流れを誘導してスピンドルモータを冷却するようにし、ディスクトレイのディスク外周面側からスピンドルモータが位置する部分に向けて複数の放射状の空洞溝３が設けられ、この空洞溝は、ディスクトレイのディスク外周面側からスピンドルモータ側に向けてその幅が次第に細くなるように形成され、ディスクの回転によって生じる空気の流れを整流して風速を高めながら複数の空洞溝内を送流してスピンドルモータ側に送出することによってスピンドルモータを冷却するように構成した。【選択図】図１
2007234180.tif 000002
【特許請求の範囲】
【請求項１】
ディスクを載置するディスクトレイのディスク外周面側からディスクトレイの下側を経て中央部のスピンドルモータへ、ディスクの回転によって発生する空気の流れを誘導して前記スピンドルモータを冷却するようにしたディスク再生装置におけるスピンドルモータの冷却構造において、前記ディスクトレイのディスク外周面側から前記スピンドルモータが位置する部分に向けて複数の放射状の空洞溝が設けられ、この空洞溝は、前記ディスクトレイのディスク外周面側から前記スピンドルモータ側に向けてその幅が次第に細くなるように形成され、前記ディスクの回転によって生じる空気の流れを整流して風速を高めながら前記複数の空洞溝内を送流して前記スピンドルモータ側に送出することによって前記スピンドルモータを冷却するように構成したことを特徴とするディスク再生装置におけるスピンドルモータの冷却構造。
【請求項２】
ディスクを載置するディスクトレイのディスク外周面側からディスクトレイの下側を経て中央部のスピンドルモータへ、ディスクの回転によって発生する空気の流れを誘導して前記スピンドルモータを冷却するようにしたディスク再生装置におけるスピンドルモータの冷却構造において、前記ディスクトレイのディスク外周面側から前記スピンドルモータが位置する部分に向けて少なくとも一つの空洞溝が設けられ、この空洞溝は、前記ディスクトレイのディスク外周面側から前記スピンドルモータ側に向けてその幅が次第に細くなるように形成され、前記ディスクの回転によって生じる空気の流れを整流して風速を高めながら前記複数の空洞溝内を送流して、前記スピンドルモータ側に送出することによって前記スピンドルモータを冷却するように構成したことを特徴とするディスク再生装置におけるスピンドルモータの冷却構造。
【請求項３】
前記空洞溝が前記ディスクトレイに等間隔で三方に放射状に設けられている請求項２に記載のディスク再生装置におけるスピンドルモータの冷却構造。
【発明の詳細な説明】
【技術分野】
【０００１】
本発明は、ディスクを載置するディスクトレイのディスク外周面からディスクトレイの下側を経て中央部のスピンドルモータへ、ディスクの回転によって発生する空気の流れを誘導して前記スピンドルモータを冷却するようにしたディスク再生装置におけるスピンドルモータの冷却構造に関するものである。
【背景技術】
【０００２】
第１の従来技術を図３、図４（ａ）（ｂ）（ｃ）に示す。この従来のディスク装置は、図３、図４（ａ）（ｂ）（ｃ）に示すように、ケーシング１０１内のメインシャーシ１０２にトレイ１０３が前後進ａ、ｂ可能に配置され、このトレイ１０３の上面１０３ａの前後両端部にディスクＤ載置用凹部１０４を取り囲むようにして複数の通気孔１２２が形成され、この各通気孔１２２より外側でその各通気孔１２２の側縁に沿って誘導板１２３が立設されており、ディスクＤの高速回転に伴う空気流を各誘導板１２３に沿って各通気孔１２２内に誘導するようにした。（例えば、特許文献１参照）。
【０００３】
ところが、これにおいては、各通気孔１２２からトレイ１０３の下側に流れる空気流は、トレイ１０３の下側を散漫に流れるために、直接スピンドルモータ１１１に向けて流れないから、スピンドルモータ１１１の冷却効果が薄いという問題があった。
【０００４】
第２の従来技術を図５、図６に示す。このディスク再生装置における冷却方法は、図５、図６に示すように、ディスク再生装置のトレイ２１３の外周面にスリット孔２１３ａを設け、ディスク再生装置の動作と同時に開始されるディスク２１４の回転によって発生した空気の流れをスリット孔２１３ａに誘導し、トレイ２１３内部に取付けられた発熱部品を冷却させる。さらにトレイ２１３の底面部に空気の排出孔を設け、空気の流れを円滑にする。（例えば、特許文献２参照）。
【０００５】
ところが、これにおいては、スピンドルモータに向けて空気流が流れていないから、スピンドルモータの冷却効果は薄いという問題があった。
【特許文献１】特開２００５−３２７３４７号公報
【特許文献２】特開平８−３３９６７８号公報
【発明の開示】
【発明が解決しようとする課題】
【０００６】
本発明は、上記従来の問題に鑑みてなされたものであって、ディスク再生装置におけるスピンドルモータの冷却を促進することができ、ディスクの回転によって生じる空気の流れを整流して風速を高速化することができてスピンドルモータの冷却効果を高めることができるディスク再生装置におけるスピンドルモータの冷却構造を提供することを目的としている。
【課題を解決するための手段】
【０００７】
本発明は、上記課題を解決するために提案されたものであって、請求項１に記載の発明は、ディスクを載置するディスクトレイのディスク外周面側からディスクトレイの下側を経て中央部のスピンドルモータへ、ディスクの回転によって発生する空気の流れを誘導して前記スピンドルモータを冷却するようにしたディスク再生装置におけるスピンドルモータの冷却構造において、前記ディスクトレイのディスク外周面側から前記スピンドルモータが位置する部分に向けて複数の放射状の空洞溝が設けられ、この空洞溝は、前記ディスクトレイのディスク外周面側から前記スピンドルモータ側に向けてその幅が次第に細くなるように形成され、前記ディスクの回転によって生じる空気の流れを整流して風速を高めながら前記複数の空洞溝内を送流して前記スピンドルモータ側に送出することによって前記スピンドルモータを冷却するように構成したことを特徴としている。
【０００８】
請求項２に記載の発明は、ディスクを載置するディスクトレイのディスク外周面側からディスクトレイの下側を経て中央部のスピンドルモータへ、ディスクの回転によって発生する空気の流れを誘導して前記スピンドルモータを冷却するようにしたディスク再生装置におけるスピンドルモータの冷却構造において、前記ディスクトレイのディスク外周面側から前記スピンドルモータが位置する部分に向けて少なくとも一つの空洞溝が設けられ、この空洞溝は、前記ディスクトレイのディスク外周面側から前記スピンドルモータ側に向けてその幅が次第に細くなるように形成され、前記ディスクの回転によって生じる空気の流れを整流して風速を高めながら前記複数の空洞溝内を送流して、前記スピンドルモータ側に送出することによって前記スピンドルモータを冷却するように構成したことを特徴としている。
【０００９】
請求項３に記載の発明は、請求項２に記載の発明において、前記空洞溝が前記ディスクトレイに等間隔で三方に放射状に設けられている。
【発明の効果】
【００１０】
請求項１に記載の発明によれば、ディスクが回転すると、ディスクトレイのディスク外周面側から複数の放射状の空洞溝を空気が流れてスピンドルモータを直接冷却するので、スピンドルモータの冷却を促進することができる。更に、この空洞溝は、ディスクトレイのディスク外周面側からスピンドルモータ側に向けてその幅が次第に細くなるように形成されているから、空気の流れはこの空洞溝内で高速化されてスピンドルモータを冷却するから、スピンドルモータをより一層効果的に冷却することができる。更に、空洞溝はディスクトレイに複数設けられているから、スピンドルモータを全体にわたって冷却することができる。
【００１１】
請求項２に記載の発明によれば、ディスクが回転すると、ディスクトレイのディスク外周面側から少なくとも一つの空洞溝を空気が流れてスピンドルモータを直接冷却するので、スピンドルモータの冷却を促進することができる。更に、この空洞溝は、ディスクトレイのディスク外周面側からスピンドルモータ側に向けてその幅が次第に細くなるように形成されているから、空気の流れはこの空洞溝内で高速化されてスピンドルモータを冷却するから、スピンドルモータをより一層効果的に冷却することができる。
【００１２】
請求項３に記載の発明によれば、空洞溝がディスクトレイに等間隔で三方に放射状に設けられているから、空洞溝内の空気の流れがスピンドルモータに三方から送出されるので、スピンドルモータを全体にわたって効率良く冷却することができる。
【発明を実施するための最良の形態】
【００１３】
以下、本発明に係るディスク再生装置におけるスピンドルモータの冷却構造の実施の形態について、図を参照しつつ説明する。
【００１４】
図１は本発明の第１実施形態のディスク再生装置におけるスピンドルモータの冷却構造を示し、（ａ）はその平面図、（ｂ）はその一部断面した状態の平面図、（ｃ）はその一部縦断面した部分正面図である。
【００１５】
この第１実施形態のディスク再生装置におけるスピンドルモータの冷却構造は、図１（ａ）（ｂ）（ｃ）に示すように、ディスクＤを載置するディスクトレイ１のディスク外周面側からスピンドルモータ２側に向けて、複数の放射状の空洞溝３が設けられている。この空洞溝３は、ディスクトレイ１のディスク外周面側からスピンドルモータ２側に向けてその幅が次第に細くなるように形成されているスピンドルモータ２は、光ピックアップ４が設けられたドライブシャーシ５に保持されており、その軸部２ａの上端にターンテーブル６が設けられ、このターンテーブル６とクランプ７とでディスクＤが保持されるようになっている。空洞溝３は図１（ｃ）に示すように、ディスクトレイ１のディスク外周面側で下向きに湾曲して設けられ、更にディスクトレイ１内をスピンドルモータ２側に向けて水平向きに設けられている。
【００１６】
従って、この第１実施形態によれば、ディスクＤが回転すると、ディスクトレイ１のディスク外周面側から複数の放射状の空洞溝３を空気が流れてスピンドルモータ２を直接冷却するので、スピンドルモータ２の冷却を促進することができる。更に、この空洞溝３は、ディスクトレイ１のディスク外周面側からスピンドルモータ２側に向けてその幅が次第に細くなるように形成されているから、空気の流れはこの空洞溝３内で高速化されてスピンドルモータ２を冷却するから、スピンドルモータ２をより一層効果的に冷却することができる。更に、空洞溝３はディスクトレイ１に複数設けられているから、スピンドルモータ２を全体にわたって冷却することができる。
【００１７】
図２は第２実施形態のディスク再生装置におけるスピンドルモータの冷却構造の一部断面した平面図である。
【００１８】
この第２実施形態のディスク再生装置におけるスピンドルモータの冷却構造は、図２に示すように、空洞溝３がディスクトレイ１にほぼ等間隔で三方に放射状に設けられている。
【００１９】
従って、この第２実施形態によれば、空洞溝３がディスクトレイ１に等間隔で三方に放射状に設けられているから、空洞溝３内の空気の流れがスピンドルモータ２に三方から送出されるので、スピンドルモータ２を全体にわたって効率良く冷却することができる。
【図面の簡単な説明】
【００２０】
【図１】本発明の第１実施形態のディスク再生装置におけるスピンドルモータの冷却構造を示し、（ａ）はその平面図、（ｂ）はその一部断面した状態の平面図、（ｃ）はその一部縦断面した部分正面図である。
【図２】第２実施形態のディスク再生装置におけるスピンドルモータの冷却構造の一部断面した平面図である。
【図３】従来のディスク装置を示す縦断面図である。
【図４】同ディスク装置の要部を示し、（ａ）はその斜視図、（ｂ）はその縦断面図、（ｃ）はその平面図である。
【図５】従来のディスク再生装置の内部構造を示す斜視図である。
【図６】同ディスク再生装置の動作説明図である。
【符号の説明】
【００２１】
Ｄ      ディスク
１      ディスクトレイ
２      スピンドルモータ
２ａ    軸部
３      空洞溝
４      光ピックアップ
５      ドライブシャーシ
６      ターンテーブル
７      クランプ
【図１】
2007234180.tif 000003
【図２】
2007234180.tif 000004
【図３】
2007234180.tif 000005
【図４】
2007234180.tif 000006
【図５】
2007234180.tif 000007
【図６】
2007234180.tif 000008